(57)【要約】      （修正有）【課題】開成動作時と閉成動作時において異なった動作を行うことのできる、携帯端末用ヒンジを提供する。【解決手段】二つ折りタイプの携帯端末のキーボード部を有する第１の部材１とディスプレイ部を有する第２の部材２を開閉可能に連結するヒンジであって、第１ヒンジシャフト４と直交する方向へ回転させるべく前記第１ヒンジシャフト４が所定角度回転した時にのみ回転可能となるように取り付けられた第２ヒンジシャフト９と、一端部にカム部を有し、インナーカム１３を一方向に回転を附勢させつつ一方向へ摺動附勢させるために前記第２ヒンジシャフト９に環巻させて設けられたスプリングと、前記インナーカム１３と対応する側にカム部を設けたカムフロワー１８と、このカムフロワー１８を一方向へ摺動附勢させるコンプレッションスプリング１９とで構成する。【選択図】図５
2005130073.tif 000002
【特許請求の範囲】
【請求項１】
二つ折りタイプの携帯端末のキーボード部を有する第１の部材とディスプレイ部を有する第２の部材を開閉可能に連結するヒンジであって、前記第１の部材の端部に設けた取付部間に縦方向へ回動可能に取り付けたケースカバーと、このケースカバーの軸方向に取り付けた第１ヒンジシャフトと、この第１ヒンジシャフトと前記第２の部材を前記第１ヒンジシャフトと直交する方向へ回転させるべく前記ケースカバーに前記第１ヒンジシャフトに係合させて前記第１ヒンジシャフトが所定角度回転した時にのみ回転可能となるように取り付けられた第２ヒンジシャフトと、前記第１ヒンジシャフトに固定され前記他方の部材の取付部に設けた挿入口へ回転を拘束された状態で挿入固定されたカバーと、一端部にカム部を有し前記第１ヒンジシャフトを中心部軸方向に摺動可能に挿通させて前記ケースカバー内に配置したインナーカムと、このインナーカムを内部に所定回転角度回転可能かつ軸方向に所定長さ分摺動可能に収納させてそれ自身は前記ケースカバー内に回転を拘束された状態で収納された一端部の前記インナーカムのカム部と同じ方向にカム部を設けたアウターカムと、前記インナーカムを一方向に回転を附勢させつつ一方向へ摺動附勢させるために前記第２ヒンジシャフトに環巻させて設けられたスプリングと、前記第１ヒンジシャフトを軸芯部軸方向へ挿通させ前記カバー内に一方へ摺動可能に収納された前記インナーカムと対応する側にカム部を設けたカムフロワーと、このカムフロワーを一方向へ摺動附勢させるコンプレッションスプリングとで構成したことを特徴とする、携帯端末用ヒンジ。
【請求項２】
前記第２ヒンジシャフトに取り付けられた第２の部材は、前記第１の部材に対し、該他方の部材が所定角度開かれた時にのみ回転可能となるように構成されていることを特徴とする、請求項１に記載の携帯端末用ヒンジ。
【請求項３】
前記第２ヒンジシャフトに取り付けられた第２の部材の回転を制御する手段を、前記第２ヒンジシャフトを中心部軸方向へ回転可能に挿通させて前記ケースカバー側か前記第２ヒンジシャフトに取り付ける前記第２の部材の側に設けたスイベル用第１カムと、前記第２ヒンジシャフトをその中心部軸方向へ摺動可能に挿通させつつ前記ケースカバー側か前記第２の部材のいずれか他方に取り付けたスイベル用第２カムと、このスイベル用第２カムを前記スイベル用第１カム側へ押圧させるスプリングとで構成したことを特徴とする、請求項１に記載の携帯端末用ヒンジ。
【請求項４】
前記ケースカバーには、前記第１の部材と前記第２の部材を結ぶ導線を通す導線案内部が設けられていることを特徴とする、請求項１乃至３のいずれかに記載の携帯端末用ヒンジ。
【発明の詳細な説明】
【技術分野】
【０００１】
この発明は、携帯電話機や小型のＯＡ機器のような携帯端末に用いて好適な携帯端末用ヒンジに関する。
【背景技術】
【０００２】
携帯端末の中で携帯電話機は携帯容易性とキーボード面の保護、誤動作防止等の理由により、第１の部材である送話部と第２の部材である受話部とをヒンジを介して連結した二つ折りタイプのものが主流となりつつある。携帯電話機はまた、近年さまざまな機能（例えばカメラ機能など）が付加されることになり、それに伴って開閉用ヒンジに求められる機能もまた、複雑化している。
【０００３】
そんな中で、２軸を用い送話部と受話部を開閉できた上で、送話部に対して受話部を開いた状態で、さらに受話部を水平方向へ軸回りに回転できるように構成したヒンジが、下記する特許文献により公知である。
【０００４】
【特許文献１】特開２００３−１３３７６４号公開特許公報
【発明の開示】
【発明が解決しようとする課題】
【０００５】
この特許文献１に記載されたヒンジは、２軸を用いてもこの２軸を互いに干渉し合うようにクロスさせていなかったので、開閉時に受話部が送話部に対し抜ける方向に力が発生し、左右方向にも位置ずれが発生して動作不良となり、強度の確保が難しい上に、開閉動作が開成方向と閉成方向で同じであり単調であるという問題があった。
【０００６】
この発明の目的は、各構成部材の位置ずれ発生を阻止し、動作不良となるのを防止できた上で、開成動作時と閉成動作時において異なった動作を行うことのできる、携帯端末用ヒンジを提供せんとするにある。
【０００７】
尚、以下にこの発明を携帯電話機に実施した場合について説明するが、この発明は他の小型ＯＡ機器のような二つ折りタイプの携帯端末にも実施できることは言うまでもない。
【課題を解決するための手段】
【０００８】
上述した目的を達成するためにこの発明は、二つ折りタイプの携帯端末のキーボード部を有する第１の部材とディスプレイ部を有する第２の部材を開閉可能に連結するヒンジであって、前記第１の部材の端部に設けた取付部間に縦方向へ回動可能に取り付けたケースカバーと、このケースカバーの軸方向に取り付けた第１ヒンジシャフトと、この第１ヒンジシャフトと前記第２の部材を前記第１ヒンジシャフトと直交する方向へ回転させるべく前記ケースカバーに前記第１ヒンジシャフトに係合させて前記第１ヒンジシャフトが所定角度回転した時にのみ回転可能となるように取り付けられた第２ヒンジシャフトと、前記第１ヒンジシャフトに固定され前記他方の部材の取付部に設けた挿入口へ回転を拘束された状態で挿入固定されたカバーと、一端部にカム部を有し前記第１ヒンジシャフトを中心部軸方向に摺動可能に挿通させて前記ケースカバー内に配置したインナーカムと、このインナーカムを内部に所定回転角度回転可能かつ軸方向に所定長さ分摺動可能に収納させてそれ自身は前記ケースカバー内に回転を拘束された状態で収納された一端部の前記インナーカムのカム部と同じ方向にカム部を設けたアウターカムと、前記インナーカムを一方向に回転を附勢させつつ一方向へ摺動附勢させるために前記第２ヒンジシャフトに環巻させて設けられたスプリングと、前記第１ヒンジシャフトを軸芯部軸方向へ挿通させ前記カバー内に一方へ摺動可能に収納された前記インナーカムと対応する側にカム部を設けたカムフロワーと、このカムフロワーを一方向へ摺動附勢させるコンプレッションスプリングとで構成したことを特徴とする。
【０００９】
その際にこの発明は、前記第２ヒンジシャフトに取り付けられた第２の部材を、前記第１の部材に対し、該他方の部材が所定角度開かれた時にのみ回転可能となるように構成することができる。
【００１０】
この発明はまた、前記第２ヒンジシャフトに取り付けられた第２の部材の回転を制御する手段を、前記第２ヒンジシャフトを中心部軸方向へ回転可能に挿通させて前記ケースカバー側か前記第２ヒンジシャフトに取り付ける前記第２の部材の側に設けたスイベル用第１カムと、前記第２ヒンジシャフトをその中心部軸方向へ摺動可能に挿通させつつ前記ケースカバー側か前記第２の部材のいずれか他方に取り付けたスイベル用第２カムと、このスイベル用第２カムを前記スイベル用第１カム側へ押圧させるスプリングとで構成することができる。
【００１１】
そして、この発明は、前記ケースカバーに、前記第１の部材と前記第２の部材を結ぶ導線を通す導線案内部を設けることができる。
【発明の効果】
【００１２】
前記第２の部材を取り付けた第２ヒンジシャフトは前記第１シャフトと係合しており、この第１シャフトの所定回転角度においてのみ回転可能となるように構成したので、第１の部材と第２の部材の開閉動作を繰り返しても互いの第２ヒンジシャフトと第１ヒンジシャフトが軸方向へずれることを防止できることから、位置ずれが生ずることがなく、動作不良となることを防止できる上に、第１の部材と第２の部材の開閉動作時にカムフロワーのカム部がインナーカムとアウターカムの二重となった各カム部に圧接することから、開成動作時と閉成動作時に変化をつけてそれぞれ異なった動作とすることができるという効果を奏し得る。
【発明を実施するための最良の形態】
【００１３】
以下にこの発明の一実施の形態を図面に基づいて説明する。
【実施例１】
【００１４】
図１において、指示記号１のものは二つ折りタイプの携帯電話機Ａの第１の部材を構成する送話部であり、上面側にキーボード部１ａやマイク部１ｂを設けてある。指示記号２のものは、第２の部材を構成する受話部であり、閉じた時にキーボード側に面する側に、ディスプレイ部２ａ、スピーカー部２ｂ、及びカメラ部２ｃが設けてある。
【００１５】
この発明に係るヒンジＢは、とくに図１に示したように、送話部１の連結用の取付部１ｃ，１ｄ間に取り付けられており、その構成は、図２乃至図２０に示されている。
【００１６】
図面によれば、とくに図５に示したように、左端側に位置している指示記号３のものが筒状を呈した一端部開放のケースである。このケース３は、とくに図８と図１５に示したように、外周に軸方向に設けた凹状係止溝３ａ，３ａを有し、送話部１の取付部１ｃの軸方向に設けた挿入孔１ｅへ挿入され、とくに図２と図３に示したように、この挿入孔１ｅの内側に設けた凸状係止部１ｆ，１ｆを凹状係止溝３ａ，３ａと係合させることにより、取付部１ｃへ固定されている。
【００１７】
このケース３は、とくに図５と図１５に示したように、さらに、一端部に側壁３ｄを有し、この側壁３ｄの中心部軸方向に設けたＤ形状の係止孔３ｅへ、図１６に示したような第１ヒンジシャフト４の端部に設けた断面Ｄ形状の取付部４ａを挿入係合させることによって、第１ヒンジシャフト４と共に回転するように構成してある。
【００１８】
この第１ヒンジシャフト４は、図１６に示したように、ケース３の係止孔３ｅを貫通した側に第１周溝４ｂを有し、この第１周溝４ｂに図５に示したように、Ｅリング５を嵌入させることにより、ケース３が抜け出ないように係止されている。第１ヒンジシャフト４は、さらに、ケース３の中心部軸方向を貫通してその一端部側を、取付部１ｄに設けた空洞部１ｇに挿入軸支させたケースカバー６の仕切壁６ａの軸方向に設けた軸受孔６ｂを貫通してワッシャー７とプッシュナット８を介して、該ケースカバー６に対し回転可能に軸支されている。
【００１９】
このケースカバー６は、また、とくに図６と図７に示したように、軸受孔６ｂと直交する方向に若干位置をずらせてスラスト軸受孔６ｃを設けると共に、このスラスト軸受孔６ｃと平行にピン孔６ｄを設けてある。スラスト軸受孔６ｃには、第２ヒンジシャフト９が挿入され、その挿入端側に設けた周溝９ａをピン孔６ｄに圧入させたピン１０と係合させることにより抜け止めされている。この第２ヒンジシャフト９と第１ヒンジシャフト４とは、互いに接触して交叉することによって互いに干渉しあっており、この交叉部分に逃がし部９ｂ，４ｃを設けることにより、第１ヒンジシャフト４は自由に回転できるが、第２ヒンジシャフト９は、第１ヒンジシャフト４が所定の角度（実施例では９０°）回転した時に水平方向へ回転が可能となるように構成されている。
【００２０】
さらに、このケースカバー６には、左側に導線案内部６ｊが設けられ、とくに図５に示したように、第１の部材１側から導出した導線３０を、この導線案内部６ｊを介して第２の部材２側へ導くものである。
【００２１】
第１ヒンジシャフト４はまた、とくに図５に示したように、その外周に設けた第２周溝４ｄに取り付けたＥリング１１とプッシュナット８との間でケースカバー６の仕切壁６ａを挟むことによって、軸方向へ移動しないように軸方向規制されると共に、このＥリング１１に接してその中心部軸方向に設けた挿通孔１２ａへ該第１ヒンジシャフト４を挿通させてガイドプレート１２が取り付けられている。
【００２２】
このＥリング１１と、第１ヒンジシャフト４の中間部に設けたフランジ部４ｅとの間には、同じく図５に示したように、その中心部軸方向に設けた挿通孔１３ａへ該第１ヒンジシャフト４を挿通させつつ、インナーカム１３が軸方向へ摺動可能に取り付けられると共に、このインナーカム１３とガイドプレート１２の間には、第１シャフト４に環巻させつつコンプレッションスプリングとトーションスプリングを兼ねるコイルスプリング１４が、一端部をとくに図１１に示したように、ガイドプレート１２の挿通孔１２ａに設けた係止溝１２ｂへ、他端部をとくに図１２に示したように、インナーカム１３の挿通孔１３ａに設けた係止溝１３ｂへ、それぞれ係止させることによってインナーカム１３を一方向へ摺動附勢かつ回転附勢させて弾設してある。
【００２３】
インナーカム１３は、とくに図８と図１２に示したように、その一端部側外周に一対の係止凸部１３ｃ，１３ｃが設けられると共に、図５と図８に示したように、他端部の端面に第１カム部１５を形成してあり、その外周に配置した筒状のアウターカム１６の内に収容されている。このアウターカム１６は、ケースカバー６に設けた収装部６ｅにそのほとんどの部分を挿入させており、図１３に示したように、その外周軸方向に設けたガイド溝１６ａ，１６ａを収装部６ｅに設けた図９に示したような凸条部６ｆ，６ｆと係合させることによって固定させると共に、図８に示したようにその一端部側に第２カム部１７を形成してある。このようにして第１カム部１５と第２カム部１７は図５及び図２１乃至図２４に示したように互いに半径方向へ重なり合っている。そして、ガイドプレート１２は、とくに図１１に示したように、その外周に設けた係合凹部１２ｃ，１２ｃを、図１３に示したようにアウターカム１６に設けた係止溝１６ｂ，１６ｂと係合させることにより、コイルスプリング１４を介してインナーカム１３に回転トルクを与えている。
【００２４】
第１ヒンジシャフト４の左側には、図５に示したように、その中心部軸方向に設けた挿通孔１８ａへ該第１ヒンジシャフト４を挿通させつつ、カムフロワー１８がその端面に設けた第３カム部２０を第１・第２カム部１５，１７に対向させて取り付けられており、このカムフロワー１８は、図１４に示したように、その外周軸方向に設けた凸条部１８ｂ，１８ｂをケース３の内壁に設けた凹溝３ｆ，３ｆ（図９参照）と係合させることにより、図５に示したように、ケース３に回転を拘束されつつ軸方向へ摺動可能に構成されている。そして、このカムフロワー１８とケース３の側壁３ｄ内側との間には、図５に示したように、第１ヒンジシャフト４に環巻させつつコンプレッションスプリング１９が弾設され、カムフロワー１８を常にインナーカム１３とアウターカム１６の方向へ摺動附勢させている。
【００２５】
このようにして、カムフロワー１８はコンプレッションスプリング１９を介してインナーカム１３とアウターカム１６の方へ押されており、インナーカム１３とアウターカム１６は、コイルスプリング１４を介してカムフロワー１８の方向へ押されていることから、互いの第１カム部１５及び第２カム部１７と第３カム部２０は、互いに圧接状態にあり、さらに、インナーカム１３は、コイルスプリング１４によって、一方向へ回転を附勢されている。
【００２６】
次に、第２ヒンジシャフト９の略中央部には、図６乃至図８と図１７に示したように、フランジ部９ｃが設けられて、第２ヒンジシャフト９の軸方向の移動規制を行われると共に、この第２シャフト９はケースカバー６に設けた収装部６ｈ内に収装固定されたベースカム２１に設けた挿通孔２１ａ内を回転可能に挿通してケースカバー６外へ突出し、その先端に設けた断面略Ｄ形状の取付部９ｄを、図６と図７及び図１８に示したように、平面略Ｔ字形状を呈した取付部材２２の中央部の取付部２２ａに設けた変形取付孔２２ｂに挿入係合させている。第２ヒンジシャフト９には、変形取付孔２２ｂより突出した自由端部に周溝９ｅを有し、この周溝９ｅにＥリング２３を取り付けることにより、取付部材２２が第２ヒンジシャフト９より抜け出ることがなく、かつ、取付部材２２と共に回転するように係止されている。この取付部材２２の取付部２２ａには、図６と図７に示したように、変形取付孔２２ｂと軸芯を共通にして、収装部２２ｃが設けられており、この収装部２２ｃに回転を拘束されて、取付部材２２と共に回転可能にロータリーカム２４が、その挿通孔２４ａへ第２シャフト９を挿通させつつ取り付けられている。
【００２７】
ベースカム２１とロータリーカム２４の互いの対向面には、とくに図１９と図２０に示したように、スイベル用第１カム部２５とスイベル用第２カム部２６が設けられ、このスイベル用第１カム部２５とスイベル用第２カム部２６は、第２シャフト９に環巻させつつ収装部２２ｃ内に収装されて取付部材２２の側壁２２ｄとロータリーカム２４との間に弾設されたコンプレッションスプリング２７により、互いに圧接状態にある。
【００２８】
次に、上記構成に係るヒンジＢの動作について説明する。図２６に示したように、携帯電話機Ａの送話部１に対し、受話部２を閉じた状態において、カムフロワー１８の第３カム部２０の凸部２０ａは、図２１に示したように、インナーカム１３とアウターカム１６の第１カム部１５の第１凸部１５ａと第２カム部１７の凸部１７ａの各第１傾斜面１５ｂ，１７ｂに位置していることから、図５に示したように、コンプレッションスプリング１９の弾力により、受話部２を送話部１に対し閉じる方向の力を受けロック状態にある。
【００２９】
この時にインナーカム１３の係止凸部１３ｃ，１３ｃの先端は、アウターカム１６の係止溝１６ｂ，１６ｂの先端部の第１段部１６ｃ，１６ｃ（図１３参照）の位置にあって、コイルスプリング１４の弾力に抗して、アウターカム１６内に引込んだ状態にあり、さらに、このインナーカム１３はコイルスプリング１４の回転トルクにより図中左方向へ回転しようとしているが、凸部２０ａによって回転を阻止された状態にある。
【００３０】
この位置から、受話部２を送話部１に対して開くと、図２２に示したように、カムフロワー１８の第３カム部２０の凸部２０ａが、アウターカム１６の第２カム部１７の凸部１７ａを乗り越えて第２傾斜面１７ｃに達することから、この第２傾斜面１７ｃ上を滑って、図２３に示したように、自動的に１５０°まで開かれる。一方、インナーカム１３はコイルスプリング１４の復元力（回転トルク）により左方向へ回転して図２２に示した位置で停止する。
【００３１】
１５０°まで開かれると、図２３に示したように、カムフロワー１８の第３カム部２０の凸部２０ａは、アウターカム１６の第２カム部１７の凹部１７ｄ内へ落ち込むことにより停止する。この位置での第１の部材１と第２の部材２の状態を示したのが図２７である。このときにインナーカム１３は、第２カム１７の凹部１７ｄと重なっている第１カム１５の第１凸部１５ａを、カムフロワー１８の凸部２０ａによって押されることにより、コイルスプリング１４の回転トルクに抗して右方向へ回転し、かつ係止凸部１３ｃ，１３ｃの先端がアウターカム１６の係止溝１６ｂ，１６ｂの先端部の第２段部１６ｄ，１６ｄ（図１３参照）の位置にあって、アウターカムより突出する方向へ移動して、図２３に示した状態になる。
【００３２】
次いで、この１５０°の開成状態から、第２の部材２を第１の部材１側へ閉じると、９０°の位置でカムフロワー１８の凸部２０ａが、インナーカム１３の第２傾斜部１５ｆを登って第２凸部１５ｅを乗り越えて第１凹部１５ｃ側へ落ち込み、ここでクリック停止させられる。この状態を示したのが図２４であり、図２８である。
【００３３】
この状態になると、図７に示したように、第１シャフト４に設けた逃がし部４ｃと第２シャフト９に設けた逃がし部９ｂとが合致することになるので、第２シャフト９の回転が可能となり、第２の部材２は第１の部材１に対し水平方向の左右へ図２９に示したように、回転が可能となる。この回転角度は、図８と図１８に示したように、取付部材２２のストッパー部２２ｅが図１０に示したように、ケースカバー６に設けた第２収納部６ｈに設けたストッパー壁６ｉに当接することによって規制され、本実施例１のものにあっては、左右いずれの回転方向においても１８０°である。
【００３４】
第２の部材２は、コンプレッションスプリング２７の弾力と、スイべル用第１カム部２５とスイベル用第２カム部２６の各カム部２８，２９によって、０°の位置において、各凸部２８ａ，２９ａと凹部２８ｂ，２９ｂとが嵌合状態によって閉成方向へ回転を附勢され、ロック状態となっており、中間回転角度においては、各凸部２８ａ，２９ａが圧接状態となるためのフリクショントルクが作用してフリーストップに停止でき、１８０°の位置において、再び回転附勢されて各凸部２８ａ，２９ａと凹部２８ｂ，２９ｂが嵌合することにより、１８０°の位置を保つように工夫されている。
【００３５】
第２の部材２を第１の部材１に対し、９０°まで閉じた状態からさらに閉成方向へ押すと、カムフロワー１８の第３カム部２０の凸部２０ａは、アウターカム１５の第２カム部１７の第２傾斜面１７ｃを登って閉じられ、図２５に示した状態になる。これよりさらに閉じると、図２１に示した状態になり、０°の閉成位置でロックされる。
【００３６】
第２の部材２が第１の部材１に対し、１５０°開かれる直前において、カムフロワー１８の第３カム部２０の凸部２０ａは、アウターカム１６の第２カム部１７の凹部１７ｄへ落ち込むことによって開成位置でロックされる。
【産業上の利用可能性】
【００３７】
この発明は以上のように構成したので、とくにカメラ機能付きで二つ折りタイプの携帯電話機の送話部を構成する第１の部材と受話部を構成する第２の部材を開閉可能に連結するための携帯端末用ヒンジとして有用である。
【図面の簡単な説明】
【００３８】
【図１】この発明に係る携帯端末用ヒンジを実施した二つ折りタイプの携帯電話機を開いて見た斜視図である。
【図２】この発明に係る携帯端末用ヒンジの取付状態を平面から見た説明図である。
【図３】この発明に係る携帯端末用ヒンジの左側面図である。
【図４】この発明に係る携帯端末用ヒンジの右側面図である
【図５】この発明に係る携帯端末用ヒンジの内部構造を示す正面断面図である。
【図６】図１のＡ−Ａ線断面図である。
【図７】図６の状態から受話部を送話部に対し９０°開いて見た場合を示す断面図である。
【図８】この発明に係る携帯端末用ヒンジの一部断面分解図である。
【図９】ケースカバーの左側面図である。
【図１０】ケースカバーの正面図である。
【図１１】ガイドプレートの右側面図である。
【図１２】インナーカムの右側面図である。
【図１３】アウターカムの右側面図である。
【図１４】カムフロワーの右側面図である。
【図１５】カバーの右側面図である。
【図１６】第１シャフトの平面図である。
【図１７】第２シャフトの側面図である。
【図１８】取付部材の背面図である。
【図１９】ベースカムの平面図である。
【図２０】ロータリーカムの背面図である。
【図２１】第１カム部、第２カム部、第３カム部の動作を説明する説明図である。
【図２２】第１カム部、第２カム部、第３カム部の動作を説明する説明図である。
【図２３】第１カム部、第２カム部、第３カム部の動作を説明する説明図である。
【図２４】第１カム部、第２カム部、第３カム部の動作を説明する説明図である。
【図２５】第１カム部、第２カム部、第３カム部の動作を説明する説明図である。
【図２６】この発明に係る携帯端末用ヒンジを用いた携帯電話機の受話部を送話部に対して折り畳んで見た側面図である。
【図２７】受話部を送話部に対し、１５０°開いて見た側面図である。
【図２８】図２７に示した状態から受話部を送話部に対して９０°まで閉じて見た側面図である。
【図２９】図２８の状態から受話部を９０°水平方向へ回転させて見た側面図である。
【符号の説明】
【００３９】
Ａ  携帯電話機
Ｂ  ヒンジ
１  送話部（第１の部材）
１ａ  キーボード部
１ｂ  マイク部
１ｃ  取付部
１ｄ  取付部
１ｅ  挿入孔
１ｆ  凸状係止部
１ｇ  空洞部
２  受話部（第２の部材）
２ａ  ディスプレイ部
２ｂ  スピーカー部
２ｃ  カメラ部
２ｄ  挿入孔
３  ケース
３ａ  凹状係止溝
３ｂ  挿入孔
３ｃ  凸状係止部
３ｄ  側壁
３ｅ  係止孔
３ｆ  凹溝
４  第１ヒンジシャフト
４ａ  取付部
４ｂ  第１周溝
４ｃ  逃がし部
４ｄ  第２周溝
４ｅ  フランジ部
５  Ｅリング
６  ケースカバー
６ａ  仕切壁
６ｂ  軸受孔
６ｃ  スラスト軸受孔
６ｄ  ピン孔
６ｅ  収装部
６ｆ  凸条部
６ｇ  軸支部
６ｈ  第２収納部
６ｉ  ストッパー壁
６ｊ  導線案内部
７  ワッシャー
８  プッシュナット
９  第２ヒンジシャフト
９ａ  周溝
９ｂ  逃がし部
９ｃ  フランジ部
９ｄ  取付部
９ｅ  周溝
１０  ピン
１１  Ｅリング
１２  ガイドプレート
１２ａ  挿通孔
１２ｂ  係止溝
１２ｃ  係止凹部
１３  インナーカム
１３ａ  挿通孔
１３ｂ  係止溝
１３ｃ  係止凸部
１４  コイルスプリング
１５  第１カム部
１５ａ  第１凸部
１５ｂ  第１傾斜面
１５ｃ  第１凹部
１５ｄ  第２凹部
１５ｅ  第２凸部
１５ｆ  第２傾斜部
１６  アウターカム
１６ａ  ガイド溝
１６ｂ  係止溝
１６ｃ  第１段部
１６ｄ  第２段部
１７  第２カム部
１７ａ  凸部
１７ｂ  第１傾斜面
１７ｃ  第２傾斜面
１７ｄ  凹部
１８  カムフロワー
１８ａ  挿通孔
１８ｂ  凸条部
１９  コンプレッションスプリング
２０  第３カム部
２０ａ  凸部
２１  ベースカム
２１ａ  挿通孔
２２  取付部材
２２ａ  取付部
２２ｂ  変形取付孔
２２ｃ  収装部
２２ｄ  側壁
２２ｅ  ストッパー部
２３  Ｅリング
２４  ロータリーカム
２４ａ  挿通孔
２５  スイベル用第１カム部
２６  スイベル用第２カム部
２７  コンプレッションスプリング
２８  カム部
２８ａ  凸部
２８ｂ  凹部
２９  カム部
２９ａ  凸部
２９ｂ  凹部
３０  導線
【図１】
2005130073.tif 000003
【図２】
2005130073.tif 000004
【図３】
2005130073.tif 000005
【図４】
2005130073.tif 000006
【図５】
2005130073.tif 000007
【図６】
2005130073.tif 000008
【図７】
2005130073.tif 000009
【図８】
2005130073.tif 000010
【図９】
2005130073.tif 000011
【図１０】
2005130073.tif 000012
【図１１】
2005130073.tif 000013
【図１２】
2005130073.tif 000014
【図１３】
2005130073.tif 000015
【図１４】
2005130073.tif 000016
【図１５】
2005130073.tif 000017
【図１６】
2005130073.tif 000018
【図１７】
2005130073.tif 000019
【図１８】
2005130073.tif 000020
【図１９】
2005130073.tif 000021
【図２０】
2005130073.tif 000022
【図２１】
2005130073.tif 000023
【図２２】
2005130073.tif 000024
【図２３】
2005130073.tif 000025
【図２４】
2005130073.tif 000026
【図２５】
2005130073.tif 000027
【図２６】
2005130073.tif 000028
【図２７】
2005130073.tif 000029
【図２８】
2005130073.tif 000030
【図２９】
2005130073.tif 000031
【手続補正書】
【提出日】平成16年10月20日(2004.10.20)
【手続補正１】
【補正対象書類名】特許請求の範囲
【補正対象項目名】請求項１
【補正方法】変更
【補正の内容】
【請求項１】
二つ折りタイプの携帯端末のキーボード部を有する第１の部材とディスプレイ部を有する第２の部材を開閉可能に連結するヒンジであって、前記第１の部材の端部に設けた取付部間に縦方向へ回動可能に取り付けたケースカバーと、このケースカバーの軸方向に取り付けた第１ヒンジシャフトと、この第１ヒンジシャフトと前記第２の部材を前記第１ヒンジシャフトと直交する方向へ回転させるべく前記ケースカバーに前記第１ヒンジシャフトに係合させて前記第１ヒンジシャフトが所定角度回転した時にのみ回転可能となるように取り付けられた第２ヒンジシャフトと、前記第１ヒンジシャフトに固定され前記第２の部材の取付部に設けた挿入口へ回転を拘束された状態で挿入固定されたカバーと、一端部にカム部を有し前記第１ヒンジシャフトを中心部軸方向に摺動可能に挿通させて前記ケースカバー内に配置したインナーカムと、このインナーカムを内部に所定回転角度回転可能かつ軸方向に所定長さ分摺動可能に収納させてそれ自身は前記ケースカバー内に回転を拘束された状態で収納された一端部の前記インナーカムのカム部と同じ方向にカム部を設けたアウターカムと、前記インナーカムを一方向に回転を附勢させつつ一方向へ摺動附勢させるために前記第２ヒンジシャフトに環巻させて設けられたスプリングと、前記第１ヒンジシャフトを軸芯部軸方向へ挿通させ前記カバー内に一方へ摺動可能に収納された前記インナーカムと対応する側にカム部を設けたカムフロワーと、このカムフロワーを一方向へ摺動附勢させるコンプレッションスプリングとで構成したことを特徴とする、携帯端末用ヒンジ。
【手続補正２】
【補正対象書類名】明細書
【補正対象項目名】０００５
【補正方法】変更
【補正の内容】
【０００５】
この特許文献１に記載されたヒンジは、２軸を用いてもこの２軸を互いに干渉し合うようにクロスさせていなかったので、開閉時に受話部が送話部に対し上下方向へ抜ける力が発生し、左右方向にも位置ずれが発生して動作不良となり、強度の確保が難しい上に、開閉動作が開成方向と閉成方向で同じであり単調であるという問題があった。
【手続補正３】
【補正対象書類名】明細書
【補正対象項目名】００３４
【補正方法】変更
【補正の内容】
【００３４】
第２の部材２は、コンプレッションスプリング２７の弾力と、スイべル用第１カム部２５とスイベル用第２カム部２６の各カム部２８，２９とによって、０°の位置において、各凸部２８ａ，２９ａと凹部２８ｂ，２９ｂとが嵌合状態によって閉成方向へ回転を附勢され、ロック状態となっており、中間回転角度においては、各凸部２８ａ，２９ａが圧接状態となるためのフリクショントルクが作用してフリーストップに停止でき、１８０°の位置において、再び回転附勢されて各凸部２８ａ，２９ａと凹部２８ｂ，２９ｂが嵌合することにより、１８０°の位置を保つように工夫されている。